(57)【要約】【課題】  進入動作中にディスクとモータハブとの衝突と掻かれ等による相互損傷の恐れを防止できるディスクカートリッジ及びディスクドライブ装置を提供する。【解決手段】  ディスクが収納される内部収納空間を形成するケースと、ケースの両側壁部に備えられ、その自由端がディスクを支持すべく収納空間側に付勢された少なくとも１対の弾力突起を含んで構成される。ディスクがカートリッジ内で弾力突起により若干上方に浮いていて、ドライブ内への進入完了時にのみ降下してモータハブにチャッキングされる。【選択図】      図３
2005044497.tif 000002
【特許請求の範囲】
【請求項１】
ディスクが収納される内部収納空間を形成するケースと、
前記ケースの両側壁部に備えられ、その自由端が前記ディスクを支持すべく前記収納空間側に付勢された少なくとも１対の弾力突起を含み、
前記自由端には前記収納空間側に下向き傾斜した傾斜面が形成されており、前記１対の弾力突起がディスクを支持する時には前記傾斜面に沿ってディスクが上昇し、前記１対の弾力突起が開放されれば、前記傾斜面に沿ってディスクが降下されることを特徴とするディスクカートリッジ。
【請求項２】
前記弾力突起は前記ケースの側壁から一体に延びたことを特徴とする請求項１に記載のディスクカートリッジ。
【請求項３】
ケースの両側壁部に備えられた少なくとも１対の弾力突起の自由端側の傾斜面上にディスクを支持して収納したディスクカートリッジが装着されるものであって、
前記ディスクカートリッジが装着位置に入る時、前記１対の弾力突起と干渉され、その１対の弾力突起を開放させることによって、前記ディスクを前記傾斜面に沿って降下させる解除レバーを含むディスクドライブ装置。
【発明の詳細な説明】
【技術分野】
【０００１】
本発明はディスクを収納するディスクカートリッジとそのディスクカートリッジが装着されて使われるディスクドライブ装置に係り、特にスロットイン方式で使われるディスクカートリッジ及びディスクドライブ装置に関する。
【背景技術】
【０００２】
一般的にスロットイン方式は、図１に示されたようにディスクカートリッジ２０がディスクドライブ１０の一面に備えられたスロット１１を通じて直接出入される方式を言うものであって、スロット１１を通じて挿入されたディスクカートリッジ２０は、図２に示されたようにモータハブ１２の上方にディスク２２のクランプ２１が位置する所まで挿入される。この過程で、開口ホール２０ｂをカバーしていたシャッター２０ａは所定開閉手段（図示せず）により開放される。以後、モータハブ１２に設けられたマグネット１３の磁力によりディスククランプ２１が引っ張られ、その中心孔２１ａがセンターリングボス１２ｂに結合されてモータハブ１２と一体に回転さるべくクランピングされる。参照番号１４はモータハブ１２を回転させるためのモータの軸を示す。このような構造のディスク及びカートリッジは特許文献１に類似に開示されている。
【０００３】
ところで、最近にはディスクドライブ装置が次第にスリム化しつつ、カートリッジの挿入のための通路の余裕も次第に小さくなる趨勢である。それにより、進入されるカートリッジ２０とモータハブ１２間に余裕ギャップがほとんどなくなり、カートリッジ２０がドライブ１０に挿入されつつシャッター２０ａが開放されれば、モータハブ１２にディスク２２が先に当接しつつスクラッチのような損傷が発生している。
【０００４】
したがって、このようにスリム化されたドライブ装置内に挿入されつつもディスクの損傷を起こさない新たな構造が要求されている。
【特許文献１】特開２００１−６２１０号公報
【発明の開示】
【発明が解決しようとする課題】
【０００５】
本発明は上記の必要性を勘案して創出されたものであって、スリム化されたドライブ装置内でもディスクの損傷なしに進退自在に改善されたディスクカートリッジ及びディスクドライブ装置を提供するところにその目的がある。
【課題を解決するための手段】
【０００６】
前記目的を達成するための本発明のディスクカートリッジは、ディスクが収納される内部収納空間を形成するケースと、前記ケースの両側壁部に備えられ、その自由端が前記ディスクを支持すべく前記収納空間側に付勢された少なくとも１対の弾力突起を含み、前記自由端には前記収納空間側に下向き傾斜した傾斜面が形成されており、前記１対の弾力突起がディスクを支持する時には前記傾斜面に沿ってディスクが上昇し、前記１対の弾力突起が開放されれば、前記傾斜面に沿ってディスクが降下されることを特徴とする。
【０００７】
また、前記目的を達成するための本発明のディスクドライブ装置は、ケースの両側壁部に備えられた少なくとも１対の弾力突起の自由端側の傾斜面上にディスクを支持して収納したディスクカートリッジが装着されるものであって、前記ディスクカートリッジが装着位置に入る時、前記１対の弾力突起と干渉され、その１対の弾力突起を開放させることによって、前記ディスクを前記傾斜面に沿って降下させる解除レバーを含むことを特徴とする。
【発明の効果】
【０００８】
本発明の機構によれば、ディスクがカートリッジ内で弾力突起により若干上方に浮いていて、ドライブ内への進入完了時ののみ降下してチャッキングされるために、進入動作中にディスクとモータハブとの衝突と掻かれ等による相互損傷の恐れがきれいに解決される。
【発明を実施するための最良の形態】
【０００９】
以下、添付した図面に基づいて本発明を詳細に説明する。
【００１０】
図３は、本発明に係るディスクカートリッジ１００を示す図である。ディスクカートリッジ１００はディスク１３０が収納される収納空間を形成する上下部ケース１１０、１２０を含む。下部ケース１２０にはディスク１３０が置かれる収納空間１２２側に向かって付勢された１対の弾力突起１２１が備えられている。この弾力突起１２１は一端が下部ケース１２０の側壁に一体に固定されており、他側自由端には収納空間１２２側に下向き傾斜した傾斜面１２１ａが形成されている。したがって、収納空間１２２に収容されるディスク１３０はその縁部が１対の弾力突起１２１の傾斜面１２１ａ上に置かれて図４Ａのように収納空間１２２の上に浮いている状態に支持される。しかし、この１対の弾力突起１２１を外側に広げれば、ディスク１３０は傾斜面１２１ａに沿って降下して、図４Ｂのように収納空間１２２に置かれる。言い換えれば、ディスク１３０がケース１１０、１２０中に収納された状態で外力がなければ、ディスク１３０は弾力突起１２１により支持されて収納空間１２２の上方に浮いている状態となり、外力によりこの弾力突起１２１が広がれば、ディスク１３０が傾斜面１２１ａに沿って降下する。即ち、この機構がカートリッジのドライブ内への進入時、ディスク１３０とモータハブ２１０（図５参照）との衝突を防止する手段となる。すなわち、平常時にはディスク１３０を下部ケース１２０の上方に若干浮かしていて、ドライブ２００内へのローディング完了時に弾力突起１２１を広げれば、ディスク１３０の下面がドライブ２００内のモータハブ２１０などによって掻かれるなどの問題を防止できる。このためにドライブ２００内には、図５に示されたようにローディング完了時に弾力突起１２１を広げるための解除レバー２２０が設けられている。この解除レバー２２０はカートリッジ１００がドライブ２００内へ進入されることによって弾力突起１２１の先端部と衝突し（図６参照）、引続いてカートリッジ１００が進入すれば弾力突起１２１を広がる方向に変形させる（図７参照）。
【００１１】
参照符号１０１は、ケース１１０、１２０に形成された開放ホールを示し、本実施例では別途のシャッターがなく、この開放ホール１０１を通じて光ピックアップ２３０のアクセス作業が行われる。
【００１２】
参照符号２４１はカートリッジ１００の進入時にカートリッジ１００のデント溝１２３にかかって共に進入するラッチを、２４３はこのラッチ２４１をカートリッジ１００の排出方向に付勢させるトーションバネを、２４２はラッチ２４１の移動に連動されて回転しつつラッチ２４１をロックまたはアンロックするローディング部材を各々示す。これらはディスクドライブ２００に採用される通常のカートリッジローディング及びアンローディングユニットであって、カートリッジ１００をドライブ２００内へ進入させれば、ラッチ２４１がカートリッジ１００と共に挿入されてローディング部材２４２によりロックされることによって、カートリッジ１００をローディング位置に固定させ、カートリッジ１００をローディング方向にもう一回押せば、ローディング部材２４２によるロックが解除されつつトーションバネ２４３の弾性復原力でカートリッジ１００を外に排出する機構である。
【００１３】
前記構成において、カートリッジ１００に収納されたディスク１３０をドライブ２００内で使用しようとすれば、図５に示されたようにカートリッジ１００をドライブ２００内に進入させる。この際、ディスク１３０は、図４Ａに示されたように１対の弾力突起１２１により支持されて収納空間１２２の上方に若干浮いている状態となる。しかし、カートリッジ１００がドライブ２００内に進入すれば、図６に示されたように解除レバー２２０に弾力突起１２１の先端部が接し、次いで、カートリッジ１００の進入によって弾力突起１２１は徐々に広がる。したがって、ディスク１３０は弾力突起１２１が広がることによって、その傾斜面１２１ａに沿って徐々に降下して、図７のようにカートリッジ１００の進入完了時にモータハブ２１０にディスク１３０のクランプ１３１がチャッキングされる。次いで、モータハブ２１０を回転させてディスク１３０に対する記録及び再生作業を行えばよい。
【００１４】
一方、アンローディング時には、カートリッジ１００を進入方向にもう一回押せば、前記ローディング及びアンローディングによりカートリッジ１００がドライブ２００の外に飛び出し、同時に弾力突起１２１が弾性復元されつつその傾斜面１２１ａに沿ってディスクＤを再び収納空間１２２の上方に持ち上げる。
【産業上の利用可能性】
【００１５】
本発明は、情報貯蔵媒体のディスクを回転自在に収納するディスクカートリッジ及びそのディスクカートリッジを装着して情報を記録及び再生するディスクドライブ装置に適用しうる。
【図面の簡単な説明】
【００１６】
【図１】従来のディスクカートリッジにおけるケースの開閉状態を示す図である。
【図２】従来のディスクカートリッジにおけるケースの開閉状態を示す図である。
【図３】本発明に係るディスクカートリッジの分離斜視図である。
【図４Ａ】図３に示されたディスクカートリッジにおけるディスクの昇降状態を示す断面図である。
【図４Ｂ】図３に示されたディスクカートリッジにおけるディスクの昇降状態を示す断面図である。
【図５】図３に示されたディスクカートリッジのディスクドライブへの進入過程を段階別に示す図である。
【図６】図３に示されたディスクカートリッジのディスクドライブへの進入過程を段階別に示す図である。
【図７】図３に示されたディスクカートリッジのディスクドライブへの進入過程を段階別に示す図である。
【符号の説明】
【００１７】
１００    ディスクカートリッジ
１１０、１２０  上下部ケース
１２１    弾力突起
１２１ａ  傾斜面
１２２    収納空間
１２３    デント溝
１３０    ディスク
１３１    クランプ
【図１】
2005044497.tif 000003
【図２】
2005044497.tif 000004
【図３】
2005044497.tif 000005
【図４Ａ】
2005044497.tif 000006
【図４Ｂ】
2005044497.tif 000007
【図５】
2005044497.tif 000008
【図６】
2005044497.tif 000009
【図７】
2005044497.tif 000010